(57)【要約】【課題】開口部からの電解液の漏れを抑制することができる電池を得る。【解決手段】実施形態の電池は、例えば、筐体と、移動部と、複数の液保持部と、を備える。前記筐体は、内面と外面とを有し、前記内面と前記外面とを貫通した開口部が設けられ、電極体と電解液とを収容している。前記移動部は、前記内面において前記開口部と離れた位置から前記開口部に対して離れる方向に延びた通路が設けられ、前記電解液を前記通路に沿って前記開口部から離れる方向に移動させる。前記複数の液保持部は、前記内面に設けられ、前記通路に沿って互いに間隔を空けて位置され、前記電解液を保持可能である。【選択図】図２
2016126890.tif 000002
【特許請求の範囲】
【請求項１】
内面と外面とを有し、前記内面と前記外面とを貫通した開口部が設けられ、電極体と電解液とを収容した筐体と、
前記内面において前記開口部と離れた位置から前記開口部に対して離れる方向に延びた通路が設けられ、前記電解液を前記通路に沿って前記開口部から離れる方向に移動させる移動部と、
前記内面に設けられ、前記通路に沿って互いに間隔を空けて位置され、前記電解液を保持可能な複数の液保持部と、
を備えた電池。
【請求項２】
前記複数の液保持部のうち前記開口部の最も近くに設けられた第一の前記液保持部と、
前記複数の液保持部のうち前記第一の液保持部以外の第二の前記液保持部と、
を備え、
前記通路には、前記開口部側の第一の端部と、前記第一の端部よりも前記開口部から遠い第二の端部が設けられ、
前記第二の液保持部は、前記第一の端部と前記第二の端部との間と、前記第二の端部との少なくとも一方に対して設けられた、請求項１に記載の電池。
【請求項３】
前記移動部には、複数の前記通路が設けられ、
互いに異なる前記通路に対して設けられた複数の前記第二の液保持部は、互いに離れた位置に設けられた、請求項２に記載の電池。
【請求項４】
前記第一の液保持部と前記通路とは、前記開口部の周辺に設けられた、請求項２または３に記載の電池。
【請求項５】
表面粗さが異なる複数の領域を有した前記液保持部を備えた、請求項１〜４のいずれか一項に記載の電池。
【請求項６】
前記通路には、当該通路の他の部分よりも幅が広く、前記液保持部として機能する幅広部が設けられた、請求項１〜５のいずれか一項に記載の電池。
【請求項７】
前記通路には、前記開口部から離れるにつれて幅が狭くなる先細り部が設けられた、請求項１〜６のいずれか一項に記載の電池。
【請求項８】
前記筐体は、前記開口部が設けられた第一の壁部と、前記第一の壁部とは別の第二の壁部と、を有し、
前記移動部には、前記第一の壁部と前記第二の壁部とに亘った前記通路が設けられた、請求項１〜７のいずれか一項に記載の電池。
【請求項９】
前記第一の壁部と前記第二の壁部とに亘った前記液保持部を備えた、請求項８に記載の電池。
【発明の詳細な説明】
【技術分野】
【０００１】
本発明の実施形態は、電池に関する。
【背景技術】
【０００２】
従来、リチウムイオン電池などの密閉型の電池が知られている。この種の電池は、例えば、上端が開口した容器と、この容器の開口を閉塞するように溶接される蓋と、を有する。そして、蓋を容器に溶接する前に、容器内に電池要素を配置し、その後、蓋を容器に溶接して、筐体を製造する。次いで、蓋に設けられた注液口を通して電解液を容器内に注入する。そして、電解液の注入後に減圧環境下において注液口を閉塞体で塞ぐ。
【先行技術文献】
【特許文献】
【０００３】
【特許文献１】特開２０１３−６９５７１号公報
【特許文献２】特開２０００−１０６１５５号公報
【発明の概要】
【発明が解決しようとする課題】
【０００４】
上記の構造では、減圧下において注液口を閉塞体で塞ぐ際に、蓋の内面に付着した電解液の液滴が、圧力差によって注液口を通って外部に漏れる場合がある。また、液体の持つメニスカスの力が重力より大きくなるとき、電解液の液滴が注液口を這い上がって漏れる場合もある。そこで、例えば、この種の電池では、開口部からの電解液の漏れを抑制できる構成が得られれば、好ましい。
【課題を解決するための手段】
【０００５】
実施形態の電池は、例えば、筐体と、移動部と、複数の液保持部と、を備える。前記筐体は、内面と外面とを有し、前記内面と前記外面とを貫通した開口部が設けられ、電極体と電解液とを収容している。前記移動部は、前記内面において前記開口部と離れた位置から前記開口部に対して離れる方向に延びた通路が設けられ、前記電解液を前記通路に沿って前記開口部から離れる方向に移動させる。前記複数の液保持部は、前記内面に設けられ、前記通路に沿って互いに間隔を空けて位置され、前記電解液を保持可能である。
【図面の簡単な説明】
【０００６】
【図１】図１は、第１の実施形態の電池を示す斜視図である。
【図２】図２は、第１の実施形態の電池の蓋の内面を示す図である。
【図３】図３は、第１の実施形態の電池の除液部の一部を示す平面図である。
【図４】図４は、第１の実施形態の電池の注液口近傍の構成を示す断面図である。
【図５】図５は、図３のV-V線に沿った断面図である。
【図６】図６は、図２のVI-VI線に沿った断面図である。
【図７】図７は、第１の実施形態の第１の変形例の移動部を示す断面図である。
【図８】図８は、第１の実施形態の第２の変形例の第二の液保持部を示す平面図である。
【図９】図９は、第２の実施形態の電池の筐体を概略的に示す斜視図である。
【図１０】図１０は、第２の実施形態の第１の変形例の電池の筐体を概略的に示す斜視図である。
【図１１】図１１は、第２の実施形態の第２の変形例の電池の筐体を概略的に示す斜視図である。
【発明を実施するための形態】
【０００７】
以下、図面を参照して、実施形態および変形例について説明する。なお、以下の例示的な実施形態および変形例には、同様の構成要素が含まれている。よって、以下では、同様の構成要素には共通の符号が付されるとともに、重複する説明が省略される。また、以下の各図では、便宜上、Ｘ方向、Ｙ方向、Ｚ方向が規定されている。Ｘ方向、Ｙ方向、およびＺ方向は、互いに直交している。
【０００８】
＜第１の実施形態＞
図１に示されるように、電池１０は、筐体１１と、正極端子１２と、負極端子１３と、電極体１４と、を備える。電池１０は、例えば、リチウムイオン二次電池として構成されることができる。リチウムイオン二次電池は、非水電解質二次電池の一種であり、電解質中のリチウムイオンが電気伝導を担う。
【０００９】
本実施形態の筐体１１は、Ｙ方向に薄い扁平な直方体状に構成されている。筐体１１は、複数の壁部２１〜２６を有する。壁部２１および壁部２３は、いずれも、筐体１１の厚さ方向（Ｙ方向）と交差する方向（本実施形態では、例えば直交する方向、ＸＺ平面）に沿って延びている。壁部２１および壁部２３は、筐体１１の厚さ方向（Ｙ方向）に間隔をあけて互いに平行に設けられている。また、壁部２２および壁部２４は、いずれも、筐体１１の幅方向（Ｘ方向）と交差する方向（本実施形態では、例えば直交する方向、ＹＺ平面）に沿って延びている。壁部２２および壁部２４は、筐体１１の幅方向（Ｘ方向）に間隔をあけて互いに平行に設けられている。壁部２１〜２４は、側壁部等と称されうる。また、壁部２１，２３は、側壁部のうちの長辺部の一例であり、壁部２２，２４は、側壁部のうちの短辺部の一例である。また、壁部２５および壁部２６は、いずれも、筐体１１の高さ方向（Ｚ方向）と交差する方向（本実施形態では、例えば直交する方向、ＸＹ平面）に沿って延びている。壁部２５および壁部２６は、筐体１１の高さ方向（Ｚ方向）に間隔をあけて互いに平行に設けられている。壁部２５は、下壁部や、底壁部等と称されうる。また、壁部２６は、上壁部や、天壁部等と称されうる。複数の壁部２１〜２６は、それぞれ、内面１１ａと当該内面１１ａの反対側の外面１１ｂと、を有する。壁部２１〜２６のそれぞれの内面１１ａによって、筐体１１の内面１１ｃが構成され、壁部２１〜２６のそれぞれの外面１１ｂによって、筐体１１の外面１１ｄが構成されている。外面１１ｄは、内面１１ｃの反対側の面である。
【００１０】
また、筐体１１は、複数の部品（分割体）が組み合わせられて構成されることができる。具体的には、本実施形態では、筐体１１は、少なくとも壁部２１〜２５を含む容器２７（第一の部材）と、少なくとも壁部２６を含む蓋２８（第二の部材）と、を有する。容器２７の内側には、電極体１４や電解液等を収容する収容室２９（開口部）が設けられている。すなわち、容器２７は、一端側（上端側）が開放された直方体状の箱型に構成されている。蓋２８は、四角形状（長方形状）の板状に構成され、容器２７の収容室２９を塞いだ状態で、容器２７と結合（一体化）されている。また、容器２７と蓋２８とは、例えば溶接などによって気密および液密に結合されている。容器２７や蓋２８は、金属材料（例えば、アルミニウムや、アルミニウム合金、ステンレス等）や合成樹脂材料等で構成されている。なお、壁部２１〜２６の内面１１ａには、絶縁層（例えば、絶縁シート等）が設けられうる。また、筐体１１には、除液部４０が設けられている。除液部４０の詳細は後述する。
【００１１】
正極端子１２および負極端子１３は、蓋２８（壁部２６）に設けられている。具体的には、正極端子１２は、蓋２８の長手方向（Ｘ方向、電池１０の幅方向）の一端部に位置され、負極端子１３は、蓋２８の長手方向（Ｘ方向、電池１０の幅方向）の他端部に位置されている。正極端子１２および負極端子１３は、壁部２６を貫通した状態で設けられている。具体的には、壁部２６には、正極端子１２および負極端子１３は、壁部２６に設けられた開口部１５，１６（図２）に挿入されている。正極端子１２は、壁部２６（筐体１１）の内側で、正極リードを介して電極体１４に電気的に接続され、負極端子１３は、壁部２６（筐体１１）の内側で、負極リードを介して電極体１４に電気的に接続されている。
【００１２】
また、正極端子１２と壁部２６との間、および負極端子１３と壁部２６との間には、それぞれ、シール部材３０，３１（ガスケット、介在物）が設けられている。シール部材３０，３１は、合成樹脂材料やガラスなどの絶縁体で構成されている。シール部材３０，３１は、正極端子１２および負極端子１３と壁部２６との間を気密および液密にシール（封止）するとともに電気的に絶縁している。
【００１３】
また、蓋２８の壁部２６には、注液口３２（貫通孔）が設けられている。注液口３２は、正極端子１２と負極端子１３との間に位置されている。注液口３２は、壁部２６の内面１１ａおよび外面１１ｂを貫通している。すなわち、注液口３２は、壁部２６の板厚方向に壁部２６を貫通している。注液口３２は、一例として円形状に形成されている。この注液口３２から筐体１１内の収容室２９に電解液が注入される。電解液は、例えば水よりも粘性が高く、表面張力が小さい材料を用いている。注液口３２は、開口部の一例である。
【００１４】
注液口３２は、閉塞部材３３（蓋、封止部材）によって塞がれている（封止されている）。閉塞部材３３は、例えば円板状に構成されている。閉塞部材３３は、例えば壁部２６と同様の材料によって構成されている。閉塞部材３３は、壁部２６の外面１１ｂに重ねられて注液口３２を覆った状態で、壁部２６にレーザ溶接等によって溶接（接合）されている。
【００１５】
また、筐体１１には、安全弁（図示されず）が設けられている。安全弁は、筐体１１に設けられた薄肉部によって構成され、筐体１１内にガスが発生して筐体１１の内圧が所定値以上に上昇すると、破断して開状態となり、筐体１１内のガスを放出し筐体１１の内圧を下げる。
【００１６】
電極体１４は、正極シートおよび負極シートがセパレータを介してスパイラル状に巻かれて、扁平形状に構成されている。なお、電極体１４は、正極シートおよび負極シートがセパレータを介して積層された構成であってもよい。正極シートには、正極リードを介して正極端子１２が電気的に接続され、負極シートには、負極リードを介して負極端子１３が電気的に接続されている。また、電極体１４は、注液口３２から注液された電解液を含蓄しうる。
【００１７】
本実施形態では、蓋２８と一体化された状態の正極リード、負極リード、および電極体１４が、容器２７の収容室２９内に挿入される。そして、蓋２８が、容器２７の収容室２９を塞いだ状態で、容器２７に接合される。その後、蓋２８の壁部２６が鉛直方向の上側、壁部２５が鉛直方向の下側となる姿勢に筐体１１がされた状態で、電解液が、注液口３２を介して筐体１１内に所定量だけ注入される。そして、減圧環境下において、閉塞部材３３が壁部２６に溶接され、閉塞部材３３によって注液口３２が閉塞される。
【００１８】
次に、筐体１１に設けられた除液部４０について説明する。図２に示されるように、除液部４０は、壁部２６の内面１１ａに設けられている。除液部４０は、例えば、壁部２６と閉塞部材３３とが溶接されていない状態で、注液口３２から収容室２９に注入された電解液が注液口３２から壁部２６の外面１１ｂに漏れるのを抑制する。
【００１９】
除液部４０は、注液口３２の周囲に注液口３２から一定距離の間隔をあけて設けられている。除液部４０の一部は、壁部２６の内面１１ａの注液口３２の周辺であって注液口３２から離れた領域Ｅに位置されている。領域Ｅは、例えば注液口３２から所定距離（例えば３ｍｍ）離れた円と、所定距離（例えば２０ｍｍ）離れた円とに囲まれる円環状の領域である。
【００２０】
除液部４０は、移動部４１と、液保持部４２と、を有する。移動部４１は、例えば、壁部２６の内面１１ａにおける注液口３２の周囲に付着した電解液を毛細管現象によって注液口３２から離れる方向に移動させる。液保持部４２は、例えば、移動部４１からあふれた電解液を保持する。移動部４１と液保持部４２とは、電池１０内に収容されている各種部品に接触しないように設けられている。
【００２１】
移動部４１には、複数の通路４１ａ（凹部、輸送路）が設けられている。通路４１ａは、壁部２６の内面１１ａにおいて注液口３２と離れた位置から注液口３２に対して離れる方向に延びている。各通路４１ａには、端部４１ｂ，４１ｃが設けられている。端部４１ｂ（第一の端部）は、通路４１ａのうち注液口３２側に設けられ、液保持部４２よりも注液口３２に近い位置に設けられている。端部４１ｃ（第二の端部）は、端部４１ｂよりも注液口３２から離れた位置に設けられている。移動部４１は、電解液を通路４１ａに沿って注液口３２から離れる方向、すなわち端部４１ｂから端部４１ｃに向かう方向に移動させる。
【００２２】
各通路４１ａの一部は、領域Ｅに位置されている。各通路４１ａは、注液口３２に対して放射状に設けられている。図３〜５に示されるように、移動部４１は、凸部４１ｇ（隆起部、突起）を有し、一対の凸部４１ｇの間に凹状の通路４１ａが設けられている。凸部４１ｇは、例えばレーザ照射によりビードオン状態を作成することにより形成される。このとき材料に対するレーザの入熱によって凸部４１ｇの高さが決定される。例えば、本実施形態では、通路４１ａの幅は０．５ｍｍ〜１ｍｍ、高さは０．１ｍｍ〜１ｍｍとした。
【００２３】
図２に示されるように、本実施形態では、複数の通路４１ａとして、通路４１ａＡ〜通路４１ａＦが設けられている。通路４１ａＡは、注液口３２の壁部２３側から壁部２３に向かって延びている。通路４１ａＢは、注液口３２の壁部２２側から壁部２２に向かって延びている。通路４１ａＤは、注液口３２の壁部２１側から壁部２１に向かって延びている。通路４１ａＦは、注液口３２の壁部２４側から壁部２４に向かって延びている。通路４１ａＣは、通路４１ａＢと通路４１ａＤとの間から壁部２２に向かって延びている。通路４１ａＥは、通路４１ａＤと通路４１ａＦとの間から壁部２４に向かって延びている。
【００２４】
通路４１ａＡ，４１ａＢ，４１ａＤは、各通路４１ａＡ，４１ａＢ，４１ａＤの両端部４１ｂ，４１ｃ間に亘って連続した構成である。すなわち、通路４１ａＡ，４１ａＢ，４１ａＤは、両端部４１ｂ，４１ｃ間に亘った一つの連続通路部４１ｄを有する。一方、通路４１ａＣ，４１ａＥ，４１ａＦは、各通路４１ａＣ，４１ａＥ，４１ａＦの両端部４１ｂ，４１ｃ間で複数に分割されて、断続的に延びている。すなわち、通路４１ａＣ，４１ａＥ，４１ａＦは、互いに離れた複数の連続通路部４１ｄを有する。また、本実施形態では、各連続通路部４１ｄは、注液口３２から離れるにつれて幅が狭くなる。連続通路部４１ｄは、先細り部の一例である。
【００２５】
移動部４１は、毛細管現象を利用して、一対の凸部４１ｇ間、すなわち通路４１ａに沿って電解液を移動させるように構成されている。注液口３２近傍に電解液の液滴が付着した場合、毛細管現象により通路４１ａに面した面４１ｅ（図５）と垂直方向に位置する液面が界面エネルギーを小さくする方向に力が向く。すなわち、液面が平らになるように力が働き、電解液が通路４１ａに沿って進行していく。このとき、電解液の接触角、つまり、電解液の表面張力と電解液が接触する面４１ｅの面積との関係に応じて通路４１ａの形状が決定される。ここでは、例えば管の場合の毛細管現象を評価する式を用いて各種寸法を決定する。液面の上昇高さはｈ＝２Ｔｃｏｓθ／（ρｇｒ）で表され、ｈは液面の高さ、Ｔは表面張力、θは接触角、ρは電解液の密度、ｇは重力加速度、ｒは管の内径（半径）である。壁面では表面張力と壁の界面張力が釣り合っている。なお、通路の高さ寸法、幅、カーブ形状などの各種寸法は、表面張力や接触角、電解液の密度、重力加速度、管の内径などの条件によって適切な値に設定される。
【００２６】
図２に示されるように、除液部４０は、複数の液保持部４２を有する。液保持部４２は、図２において点ハッチングによって示されている。複数の液保持部４２は、壁部２６の内面１１ａに設けられている。複数の液保持部４２は、壁部２６の内面１１ａにおいて注液口３２から離れた位置に設けられている。
【００２７】
本実施形態では、液保持部４２として、液保持部４２Ａ，４２Ｂとが設けられている。液保持部４２Ａ（第一の液保持部）は、複数の液保持部４２のうち注液口３２の最も近くに設けられている。液保持部４２Ａは、領域Ｅ、すなわち注液口３２の周辺に設けられている。液保持部４２は、円に沿った形状や、楕円に沿った形状に構成されている。
【００２８】
液保持部４２Ｂ（第二の液保持部）は、複数の液保持部４２のうち液保持部４２Ａ以外の液保持部４２である。液保持部４２Ｂは、領域Ｅの外側（領域Ｅの注液口３２とは反対側）に設けられている。本実施形態では、複数の通路４１ａＡ〜通路４１ａＦに対して一つの液保持部４２Ａが設けられている。液保持部４２Ｂは、通路４１ａＣ，４１ａＥ，４１ａＦに、一例として二つずつ（複数）設けられている。液保持部４２Ｂは、各通路４１ａＣ，４１ａＥ，４１ａＦにおいて、端部４１ｂと端部４１ｃとの間と、端部４１ｃとの少なくとも一方に対して設けられている。本実施形態では、液保持部４２Ｂは、各通路４１ａＣ，４１ａＥ，４１ａＦにおいて、端部４１ｂと端部４１ｃとの間と、端部４１ｃとのそれぞれに対して一つずつ設けられている。端部４１ｂと端部４１ｃとの間に対して設けられた液保持部４２Ｂは、隣り合う連続通路部４１ｄにおける隣り合う端部の周囲であって、当該端部から離れた位置に設けられている。また、端部４１ｃに対して設けられた液保持部４２Ｂは、端部４１ｃの周囲であって、当該端部４１ｃから離れた位置に設けられている。複数の液保持部４２は、互いに間隔を空けて位置されている。通路４１ａＣに対して設けられた複数の液保持部４２は、通路４１ａＣに沿って互いに間隔を空けて位置され、通路４１ａＥに対して設けられた複数の液保持部４２は、通路４１ａＥに沿って互いに間隔を空けて位置され、通路４１ａＦに対して設けられた複数の液保持部４２は、通路４１ａＦに沿って互いに間隔を空けて位置されている。また、互いに異なる通路４１ａＣ，４１ａＥ，４１ａＦに設けられた複数の液保持部４２Ｂは、互いに離れた位置に設けられている。
【００２９】
図３に示されるように、各液保持部４２は、複数の第一の領域４２ａ（第一の部分）と、複数の第二の領域４２ｂ（第二の部分）と、を有する。なお、図３では、液保持部４２の一例として液保持部４２Ａの例が示されているが、液保持部４２Ｂも液保持部４２Ａと同様に、複数の第一の領域４２ａと、複数の第二の領域４２ｂと、を有する。第一の領域４２ａと第二の領域４２ｂとは、互いに表面粗さが異なる。第一の領域４２ａと第二の領域４２ｂは、それぞれ円や楕円に沿った形状に構成されている。液保持部４２Ａにあっては、第一の領域４２ａと第二の領域４２ｂとは、注液口３２を中心とした円に沿った形状に構成されている。液保持部４２Ａにあっては、第一の領域４２ａと第二の領域４２ｂとは、注液口３２から離れる方向に沿って交互に配置されている。また、端部４１ｂと端部４１ｃとの間に対して設けられた液保持部４２Ｂにあっては、第一の領域４２ａと第二の領域４２ｂとは、隣り合う連続通路部４１ｄにおける隣り合う端部間を中心とした円に沿った形状に構成されている。端部４１ｂと端部４１ｃとの間に対して設けられた液保持部４２Ｂにあっては、第一の領域４２ａと第二の領域４２ｂとは、隣り合う連続通路部４１ｄにおける隣り合う端部間から離れる方向に沿って交互に配置されている。また、端部４１ｃに対して設けられた液保持部４２Ｂにあっては、第一の領域４２ａと第二の領域４２ｂとは、端部４１ｃを囲む円や楕円に沿った形状に構成されている。端部４１ｃに対して設けられた液保持部４２Ｂにあっては、第一の領域４２ａと第二の領域４２ｂとは、端部４１ｃから離れる方向に沿って交互に配置されている。第一の領域４２ａと第二の領域４２ｂとは、複数の領域の一例である。
【００３０】
第一の領域４２ａの表面は、第二の領域４２ｂの表面よりも滑らかである。本実施形態では、第一の領域４２ａは、レーザによる表面改質によって形成されている。具体的には、壁部２６の内面１１ａにレーザを照射して内面１１ａを溶かして改質することで、第一の領域４２ａが形成される。第二の領域４２ｂには、レーザの照射がされていない。このように第一の領域４２ａと第二の領域４２ｂとを形成することにより、内面１１ａと電解液との間の界面自由エネルギーを制御することができる。本実施形態では、第一の領域４２ａは、レーザによる改質がされ、第二の領域４２ｂよりも表面が滑らかな改質部であり、第二の領域４２ｂは、改質がされずに、第一の領域４２ａよりも表面が粗い未改質部である。本実施形態では、例えば、第一の領域４２ａの幅寸法は０．２ｍｍ程度、ピッチは０．４ｍｍ程度である。
【００３１】
第一の領域４２ａと第二の領域４２ｂとでは、表面の粗さが異なり、電解液と表面との界面エネルギーの差が生じる。電解液は、表面が滑らかな方、すなわち第一の領域４２ａに広がろうとするため、第一の領域４２ａと第二の領域４２ｂとを交互に配置することによって、電解液の親液化および表面への吸着力が増強される。すなわち、液保持部４２は、異なる界面エネルギーの複数の領域として第一の領域４２ａと第二の領域４２ｂとが設けられているので、電解液が外力を受けても移動しにくい親液状態となる。
【００３２】
上記構成の除液部４０の除液動作について、図５，６を参照して説明する。注液口３２の近傍に付着した電解液の液滴Ｌは、移動部４１の通路４１ａに沿って移動される。すなわち、毛細管現象により、通路４１ａに面した面４１ｅと接している液面が界面エネルギーを小さくしようとして平らになろうとする力によって、注液口３２付近の液滴Ｌが通路４１ａ（面４１ｅ）に沿って注液口３２から離れる方向へ移動され、注液口３２から退避する。
【００３３】
図５に示すように、注液口３２近傍の通路４１ａからあふれた電解液の液滴Ｌは、注液口３２近傍に設けられた液保持部４２（液保持部４２Ａ）へ移動する。図６に示すように液保持部４２は異なる界面エネルギーの複数の領域を設置して親液状態とすることで、電解液が外力を受けても移動しにくいようになっているため電解液が注液口３２から離れた領域に保持され、その領域外（２次元領域）に電解液が出にくくなる。したがって、移動部４１で注液口３２近傍から電解液を離すことにより、注液口３２からの外面１１ｂへの電解液の液漏れを抑制し、液保持部４２に電解液を留めることで外部の力で再び電解液が注液口３２へ移動することを抑制することができる。
【００３４】
また、本実施形態では、液保持部４２Ｂ近傍で通路４１ａから注液口３２近傍の通路４１ａからあふれた電解液の液滴Ｌは、液保持部４２Ｂへ移動して液保持部４２Ｂに保持される。よって、通路４１ａからあふれた電解液の液滴Ｌが注液口３２に向かって通路４１ａを逆流することが抑制される。
【００３５】
以上、説明したように、本実施形態では、除液部４０の移動部４１により電解液の液滴Ｌが注液口３２から離れるように移動され、液保持部４２Ａ，４２Ｂにより注液口３２側に移動するのが抑制される。このため、注液口３２に閉塞部材３３を設置し減圧環境下でレーザ溶接により気密接合する際、注液口３２からの電解液の這い上がりおよび電解液の注液口３２近傍への侵入を抑制することができる。これにより、注液口３２からの電解液の漏れを抑制することができる。よって、壁部２６の注液口３２近傍の外面１１ｂと閉塞部材３３との間に電解液が存在することが抑制されるので、壁部２６と閉塞部材３３との溶接を良好に行うことができる。これにより、注液口３２が閉塞部材３３によって気密に塞がれる。すなわち、本実施形態では、高い信頼性を有した注液口３２のレーザ溶接を提供することが可能である。また、注液口３２のレーザ溶接不良を減少させることにより、高い歩留まりで電池１０を製造できる。
【００３６】
また、本実施形態では、複数の液保持部４２（液保持部４２Ａ，４２Ｂ）が設けられているので、液保持部４２Ａよりも注液口３２から遠い位置に位置された電解液の液滴Ｌを液保持部４２Ｂによって保持することができる。これにより、注液口３２からの電解液の漏れをより抑制することができる。
【００３７】
なお、液保持部４２（親液領域）を形成する方法としてレーザ加工による改質を用いた例を示したが、これに限られるものではない。例えば他にプラズマ（放電処理）による改質や、化学薬品による改質、研磨による改質などを用いてもよい。
【００３８】
＜第１の変形例＞
図７に示されるように、第一の変形例の通路４１ａは、壁部２６の内面１１ａに溝状に形成されており、凸部４１ｇは設けられていない。
【００３９】
＜第２の変形例＞
図８に示されるように、第二の変形例の通路４１ａには、当該通路４１ａの他の部分よりも幅が広く、液保持部（第二の液保持部）として機能する幅広部４１ｆが設けられている。幅広部４１ｆは、例えば、隣り合う連続通路部４１ｄ間に設けられている。幅広部４１ｆは、例えば連続通路部４１ｄから流入した電解液を保持する。
【００４０】
＜第２の実施形態＞
図９に示されるように、本実施形態の電池１０は、第１の実施形態の電池に対して、注液口３２の位置と、通路４１ａの位置と、液保持部４２の位置と、が主に異なる。
【００４１】
本実施形態では、注液口３２は、壁部２４に設けられて、壁部２４の内面１１ａおよび外面１１ｂを貫通している。このため、複数の通路４１ａおよび液保持部４２Ａが、壁部２４の内面に設けられている。
【００４２】
また、通路４１ａは、壁部２４から、壁部２６に隣接する壁部２１や壁部２３に延びている。すなわち、通路４１ａは、壁部２４と、当該壁部２４とは異なる壁部２１や壁部２３に亘って設けられている。壁部２１には、壁部２４から延びた複数（一例として３つ）の通路４１ａが、壁部２４側から壁部２２側に向かって延びている。また、壁部２１には、壁部２１に設けられた複数の通路４１ａと交差した複数の通路４１ｈが設けられている。複数の通路４１ｈは、壁部２１の複数の通路４１ａのうち最も壁部２６に近い通路４１ａから壁部２５に向かって延びている。このような構成では、電解液の液滴は、通路４１ａから通路４１ｈに移動されうる。
【００４３】
また、液保持部４２Ａは、壁部２４と、当該壁部２４とは異なる壁部２１および壁部２３に亘って設けられている。また、液保持部４２Ｂは、通路４１ａ，４１ｈに対して設けられている。
【００４４】
上記構成の電池１０では、例えば、蓋２８の壁部２６が鉛直方向の上側、壁部２５が鉛直方向の下側となる姿勢に筐体１１がされた状態で、電解液が、注液口３２を介して筐体１１内に所定量だけ注入される。この際、例えば、通路４１ｈは、鉛直方向の下側に向かって延びる。これにより、壁部２１に延びた通路４１ａによって壁部２１に移動された電解液は、重力の作用を受けて、通路４１ｈに沿って鉛直方向の下方に移動しやすい。また、通路４１ｈ中の電解液は、重力の作用により、逆流しにくい。
【００４５】
以上、説明したように、本実施形態では、筐体１１は、注液口３２が設けられた壁部２４（第一の壁部）と、壁部２４とは別の壁部２１，２３（第二の壁部）と、を有する。そして、移動部４１には、壁部２４と壁部２１，２３とに亘った通路４１ａが設けられている。よって、電解液を、壁部２４とは別の壁部２１，２３に移動させることができる。
【００４６】
また、本実施形態では、壁部２４（第一の壁部）と壁部２１，２３（第二の壁部）とに亘った液保持部４２Ａが設けられている。よって、液保持部４２Ａの面積を大きくし易い。
【００４７】
＜第１の変形例＞
図１０に示されるように、第２の実施形態の第１の変形例では、壁部２４から壁部２１に延びた通路４１ａは、壁部２１で複数の枝部４１ｉに分岐している。枝部４１ｉは、壁部２４から壁部２２に向かうにつれて壁部２５に近づくように、湾曲している。このような構成では、蓋２８の壁部２６が鉛直方向の上側、壁部２５が鉛直方向の下側となる姿勢に筐体１１がされた状態で、電解液が、注液口３２を介して筐体１１内に所定量だけ注入される。この際、枝部４１ｉは、鉛直方向の下側に向かって延びる。これにより、壁部２１に延びた通路４１ａによって壁部２１に移動された電解液は、重力の作用を受けて、枝部４１ｉに沿って鉛直方向の下方に移動しやすい。また、枝部４１ｉ中の電解液は、重力の作用により、逆流しにくい。
【００４８】
＜第２の変形例＞
図１１に示されるように、第２の実施形態の第２の変形例では、注液口３２は、壁部２５に設けられて、壁部２５の内面１１ａおよび外面１１ｂを貫通している。このため、複数の通路４１ａおよび液保持部４２Ａが、壁部２５の内面１１ａに設けられている。
【００４９】
また、通路４１ａは、壁部２５から、壁部２５に隣接する壁部２１や壁部２２に延びている。すなわち、通路４１ａは、壁部２５と、当該壁部２５とは異なる壁部２１や壁部２２に亘って設けられている。壁部２１，２２には、壁部２５から延びた複数の通路４１ａが、壁部２５側から壁部２６側に向かって延びている。
【００５０】
また、液保持部４２Ａは、壁部２５と、当該壁部２５とは異なる壁部２１および壁部２３に亘って設けられている。また、液保持部４２Ｂは、各通路４１ａに対して設けられている。
【００５１】
上記構成の電池１０では、例えば、壁部２５が鉛直方向の上側、壁部２６が鉛直方向の下側となる姿勢に筐体１１がされた状態で、電解液が、注液口３２を介して筐体１１内に所定量だけ注入される。この際、例えば、壁部２１，２２の通路４１ａは、鉛直方向の下側に向かって延びる。これにより、壁部２１，２２に延びた通路４１ａによって壁部２１，２２に移動された電解液は、重力の作用を受けて、通路４１ａに沿って鉛直方向の下方に移動しやすい。また、壁部２１，２２の通路４１ａ中の電解液は、重力の作用により、逆流しにくい。
【００５２】
以上、本発明の実施形態および変形例を例示したが、上記実施形態および変形例はあくまで一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。上記実施形態および変形例は、発明の範囲や要旨に含まれるとともに、特許請求の範囲に記載された発明とその均等の範囲に含まれる。また、各構成要素のスペック（構造や、種類、方向、形状、大きさ、長さ、幅、厚さ、高さ、数、配置、位置、材質等）は、適宜に変更して実施することができる。
【符号の説明】
【００５３】
１０…電池、１１…筐体、１１ａ，１１ｃ…内面、１１ｂ，１１ｄ…外面、２１〜２６…壁部、４１…移動部、４１ａ，４１ａＡ〜４１ａＦ…通路、４１ｂ…端部（第一の端部）、４１ｃ…端部（第二の端部）、４１ｆ…幅広部、４１ｈ…通路、４１ｉ…枝部、４２…液保持部、４２Ａ…液保持部（第一の液保持部）、４２Ｂ…液保持部（第二の液保持部）、４２ａ…第一の領域（領域）、４２ｂ…第二の領域（領域）、Ｌ…液滴（電解液）。
【図１】
2016126890.tif 000003
【図２】
2016126890.tif 000004
【図３】
2016126890.tif 000005
【図４】
2016126890.tif 000006
【図５】
2016126890.tif 000007
【図６】
2016126890.tif 000008
【図７】
2016126890.tif 000009
【図８】
2016126890.tif 000010
【図９】
2016126890.tif 000011
【図１０】
2016126890.tif 000012
【図１１】
2016126890.tif 000013